(57)【要約】【課題】本発明は多機能型仮想製造の漢方薬採取装置を開示した。【解決手段】底板を含み、前記底板の下端面に左右対称のケーシング脚が固定に設置され、前記ケーシング脚が地面と突合、前記底板の上端面に開口ブロックが固定に設置され、前記開口ブロックに上向きの開き筐体が固定に設置され、前記開き筐体の下端壁に上向きのトーカットが連通し設置され、前記トーカットの中に上に伸びるソールバーがスライドし設置され、前記ソールバーにねじ山レバーがねじで係合接続され、前記ねじ山レバーが前記開き筐体の左端壁と回転し係合接続され、前記ねじ山レバーが前記開き筐体を回転し貫通して右へ外部空間へ伸び出し、本発明装置は構造が簡単で、使用が便利で、本装置は手動と自動の一体式運動方式を採用し、漢方薬に対する高効率な圧搾を実現し、生産効率を有効に高め、人力コストを下げる。【選択図】図１
2019188468.tif 000002
【特許請求の範囲】
【請求項１】
多機能型仮想製造の漢方薬採取装置は、底板を含み、前記底板の下端面に左右対称のケーシング脚が固定に設置され、前記ケーシング脚が地面と突合、前記底板の上端面に開口ブロックが固定に設置され、前記開口ブロックに上向きの開き筐体が固定に設置され、前記開き筐体の下端壁に上向きのトーカットが連通し設置され、前記トーカットの中に上に伸びるソールバーがスライドし設置され、前記ソールバーにねじ山レバーがねじで係合接続され、前記ねじ山レバーが前記開き筐体の左端壁と回転し係合接続され、前記ねじ山レバーが前記開き筐体を回転し貫通して右へ外部空間へ伸び出し、前記ねじ山レバーの右端面に回転ハンドルが固定に設置され、前記ソールバーの上端面に支えブロックが固定に設置され、前記支えブロックの左端面に回転電機が固定に設置され、前記底板の上端面に支えレバーが左右対称に固定に設置され、前記支えレバーの上端面に絞り箱が固定に設置され、前記絞り箱の中に左向きの絞り筐体が固定に設置され、前記絞り箱の下端面に左右対称の底取付ブロックが固定に設置され、前記底取付ブロックに回転柱が回転し設置され、前記回転柱に上下貫通のねじ山筐体が固定に設置され、前記ねじ山筐体の中に雄ねじ山ブロックがねじで係合接続され、前記雄ねじ山ブロックが前記絞り筐体に挿入するかつ前記雄ねじ山ブロックの上端面に押板が固定に設置され、前記雄ねじブロックの下端面に下へ前記ねじ山筐体から伸びだすスライドレバーが固定に設置され、前記底板の上端面に左右対称の受圧ブロックが固定に設置され、前記受圧ブロックに上向きのスライド溝が固定に設置され、前記スライドレバーが前記スライド溝とスライドし係合接続され、前記回転柱の外表面に従動スプロケットが固定に設置され、前記底板に電機が固定に設置され、電機の輸出軸の外表面に駆動スプロケットが固定に設置され、前記駆動スプロケットが前記従動スプロケットとリンクベルトによって動力で接続され、前記絞り筐体の右端壁に引掛り筐体が連通し設置され、前記引掛り筐体が外部空間と連通し、前記引掛り筐体の上下端壁に上下対称のばね筐体が連通し設置され、前記ばね筐体の中に嵌入ブロックがスライドし設置され、前記引掛り筐体から遠離する前記嵌入ブロックの端面に外部空間へ伸びだすプレッシャバーが固定に設置され、前記プレッシャバーが前記絞り箱とスライドし係合接続され、前記嵌入ブロックと前記ばね筐体の端壁の間にばねが弾力で設置され、前記引掛り筐体の中に滑り込みブロックがスライドし設置され、前記嵌入ブロックが前記滑り込みブロックに挿入して前記滑り込みブロックを前記引掛り筐体に固定し、前記滑り込みブロックに接続柱が回転し設置され、前記接続柱が左へ前記絞り筐体に挿入するかつ前記接続柱の左端面に螺旋軸圧が固定に設置され、前記絞り箱の右側に竜頭が設置され、前記竜頭に左右貫通の接続筐体が固定に設置され、前記接続柱が前記接続筐体に挿入し、前記竜頭の下端面に前記接続柱ときつく締められるロッキング螺子釘がねじで係合接続され、前記竜頭の外側にL型ブロックが設置され、前記L型ブロックが前記竜頭とスライドし係合接続され、前記L型ブロックに左右貫通の通し穴が固定に設置され、前記回転電機の輸出軸が前記通し穴に挿入して前記L型ブロックときつく引っ掛って固定され、前記開口ブロックの右端面にアテンション装置が設置され、前記絞り筐体の上端壁に雄ねじパイプが設置され、前記雄ねじパイプの中に上下貫通の仕込み筐体が固定に設置され、前記仕込み筐体が前記絞り筐体と連通し、前記仕込み筐体の上に蓋が設置され、前記蓋に下向きの凹ねじ山筐体が固定に設置され、前記凹ねじ山筐体が前記雄ねじパイプとねじで係合接続され、前記凹ねじ山筐体の上端壁に接続レバーが固定に設置され、前記接続レバーの下端面にカード押えが固定に設置され、前記カード押えが前記収納筐体に挿入して前記収納筐体とスライドし係合接続され、前記絞り箱の左側に側蓋が設置され、前記側蓋に右向きの凹み筐体が固定に設置され、前記凹み筐体の左端壁に雨押えが固定に設置され、前記雨押えが前記絞り筐体に挿入し、前記側蓋が固定ボルトによって前記絞り箱の外表面に固定され、前記絞り筐体の下端壁に接続パイプが連通し設置され、前記接続パイプの中に切換弁が連通し設置され、前記接続パイプが前記底板を貫通するかつ前記接続パイプの下端面に開口パイプが連通し設置され、前記底取付ブロックと駆動スプロケットが三角形分布式に放置され、前記駆動スプロケットが同時に前記底取付ブロックを回転させ、前記回転柱を回転させ、前記回転電機の輸出軸の中心線と前記接続柱の中心線が同じであり、アテンション装置が接続台を含み、前記接続台に右向きの収容筐体が固定に設置され、前記収容筐体の上下端壁の間に通し軸が固定に設置され、前記通し軸の外表面にランプハンドルが回転し設置され、前記ランプハンドルの右端面にランプが固定に設置される。
【発明の詳細な説明】
【技術分野】
【０００１】
本発明は製薬分野に関し、具体的には、多機能型仮想製造の漢方薬採取装置に関する。
【背景技術】
【０００２】
漢方薬の調製する過程では薬料を蒸煮して薬品に加工する。この過程では割と多めな歩みが必要で、薬料を研磨して汁を搾る工程で研磨が十分でなくて廃物が取りにくくなる問題があり、本装置はこの問題を有効に解決できる。
【先行技術文献】
【特許文献】
【０００３】
【特許文献１】中国特許出願公開第102512847号明細書
【発明の概要】
【発明が解決しようとする課題】
【０００４】
本発明の目的は多機能型仮想製造の漢方薬採取装置を提供し、現有技術の上記問題を解決することにある。
【課題を解決するための手段】
【０００５】
本発明の多機能型仮想製造の漢方薬採取装置には、底板を含み、前記底板の下端面に左右対称のケーシング脚が固定に設置され、前記ケーシング脚が地面と突合、前記底板の上端面に開口ブロックが固定に設置され、前記開口ブロックに上向きの開き筐体が固定に設置され、前記開き筐体の下端壁に上向きのトーカットが連通し設置され、前記トーカットの中に上に伸びるソールバーがスライドし設置され、前記ソールバーにねじ山レバーがねじで係合接続され、前記ねじ山レバーが前記開き筐体の左端壁と回転し係合接続され、前記ねじ山レバーが前記開き筐体を回転し貫通して右へ外部空間へ伸び出し、前記ねじ山レバーの右端面に回転ハンドルが固定に設置され、前記ソールバーの上端面に支えブロックが固定に設置され、前記支えブロックの左端面に回転電機が固定に設置され、前記底板の上端面に支えレバーが左右対称に固定に設置され、前記支えレバーの上端面に絞り箱が固定に設置され、前記絞り箱の中に左向きの絞り筐体が固定に設置され、前記絞り箱の下端面に左右対称の底取付ブロックが固定に設置され、前記底取付ブロックに回転柱が回転し設置され、前記回転柱に上下貫通のねじ山筐体が固定に設置され、前記ねじ山筐体の中に雄ねじ山ブロックがねじで係合接続され、前記雄ねじ山ブロックが前記絞り筐体に挿入するかつ前記雄ねじ山ブロックの上端面に押板が固定に設置され、前記雄ねじブロックの下端面に下へ前記ねじ山筐体から伸びだすスライドレバーが固定に設置され、前記底板の上端面に左右対称の受圧ブロックが固定に設置され、前記受圧ブロックに上向きのスライド溝が固定に設置され、前記スライドレバーが前記スライド溝とスライドし係合接続され、前記回転柱の外表面に従動スプロケットが固定に設置され、前記底板に電機が固定に設置され、電機の輸出軸の外表面に駆動スプロケットが固定に設置され、前記駆動スプロケットが前記従動スプロケットとリンクベルトによって動力で接続され、前記絞り筐体の右端壁に引掛り筐体が連通し設置され、前記引掛り筐体が外部空間と連通し、前記引掛り筐体の上下端壁に上下対称のばね筐体が連通し設置され、前記ばね筐体の中に嵌入ブロックがスライドし設置され、前記引掛り筐体から遠離する前記嵌入ブロックの端面に外部空間へ伸びだすプレッシャバーが固定に設置され、前記プレッシャバーが前記絞り箱とスライドし係合接続され、前記嵌入ブロックと前記ばね筐体の端壁の間にばねが弾力で設置され、前記引掛り筐体の中に滑り込みブロックがスライドし設置され、前記嵌入ブロックが前記滑り込みブロックに挿入して前記滑り込みブロックを前記引掛り筐体に固定し、前記滑り込みブロックに接続柱が回転し設置され、前記接続柱が左へ前記絞り筐体に挿入するかつ前記接続柱の左端面に螺旋軸圧が固定に設置され、前記絞り箱の右側に竜頭が設置され、前記竜頭に左右貫通の接続筐体が固定に設置され、前記接続柱が前記接続筐体に挿入し、前記竜頭の下端面に前記接続柱ときつく締められるロッキング螺子釘がねじで係合接続され、前記竜頭の外側にL型ブロックが設置され、前記L型ブロックが前記竜頭とスライドし係合接続され、前記L型ブロックに左右貫通の通し穴が固定に設置され、前記回転電機の輸出軸が前記通し穴に挿入して前記L型ブロックときつく引っ掛って固定され、前記開口ブロックの右端面にアテンション装置が設置される。
【０００６】
更の技術プランとして、前記絞り筐体の上端壁に雄ねじパイプが設置され、前記雄ねじパイプの中に上下貫通の仕込み筐体が固定に設置され、前記仕込み筐体が前記絞り筐体と連通し、前記仕込み筐体の上に蓋が設置され、前記蓋に下向きの凹ねじ山筐体が固定に設置され、前記凹ねじ山筐体が前記雄ねじパイプとねじで係合接続され、前記凹ねじ山筐体の上端壁に接続レバーが固定に設置され、前記接続レバーの下端面にカード押えが固定に設置され、前記カード押えが前記収納筐体に挿入して前記収納筐体とスライドし係合接続される。
【０００７】
更の技術プランとして、前記絞り箱の左側に側蓋が設置され、前記側蓋に右向きの凹み筐体が固定に設置され、前記凹み筐体の左端壁に雨押えが固定に設置され、前記雨押えが前記絞り筐体に挿入し、前記側蓋が固定ボルトによって前記絞り箱の外表面に固定される。
【０００８】
更の技術プランとして、前記絞り筐体の下端壁に接続パイプが連通し設置され、前記接続パイプの中に切換弁が連通し設置され、前記接続パイプが前記底板を貫通するかつ前記接続パイプの下端面に開口パイプが連通し設置される。
【０００９】
更の技術プランとして、前記底取付ブロックと駆動スプロケットが三角形分布式に放置され、前記駆動スプロケットが同時に前記底取付ブロックを回転させ、前記回転柱を回転させ、前記回転電機の輸出軸の中心線と前記接続柱の中心線が同じである。
【００１０】
更の技術プランとして、アテンション装置が接続台を含み、前記接続台に右向きの収容筐体が固定に設置され、前記収容筐体の上下端壁の間に通し軸が固定に設置され、前記通し軸の外表面にランプハンドルが回転し設置され、前記ランプハンドルの右端面にランプが固定に設置される。
【発明の効果】
【００１１】
本発明の有益効果は：本発明装置は初期状態にある時、前記回転電機が作動停止状態にあり、前記切換弁が閉じる状態にあり、前記回転電機の輸出軸が前記通し穴に挿入する状態にあり、前記ソールバーが前記トーカットの左側の限界位置にあり、前記蓋が前記雄ねじパイプにねじ入れる状態にあり、前記側蓋が前記絞り筐体を閉鎖し、前記嵌入ブロックが前記滑り込みブロックを前記引掛り筐体に引っ掛ける位置にあり、これにより上記構造が初期状態の時に初期位置にあり、後続の作動中に調整でき、装置の作動強調性を有効に高める。
【００１２】
装置が作動する時に、前記蓋を捻じ開け、前記カード押えを前記収納筐体との掛り合いから離脱させ、この時に前記蓋を下ろし、前記収納筐体に薬料を加え、薬料を前記絞り筐体に満たせ、前記回転電機が作動し、前記L型ブロックが回転し、前記竜頭が前記接続柱の中心線を巡って回転し、前記接続柱が回転した後で前記螺旋軸圧を連れて回転し、前記絞り筐体の中にある薬料を圧搾し、前記絞り筐体の中の汁液が前記接続パイプに流し込み、前記切換弁が開き、前記開口パイプの下に装い容器が設置され、汁液を容器に入れ、作動する過程で、前記底板の電機によって前記駆動スプロケットを回転させ、前記従動スプロケットが回転した後で前記雄ねじブロックが前記押板を連れて上下に移動させ、この時に前記スライドレバーが前記スライド溝の中に上下に移動し、前記押板の上端面と前記螺旋軸圧の間の空間変化によって、薬料を更に圧搾し、圧搾が終わったら、前記モーター素子を切り、前記側蓋の中のボルトを捻じ開け、前記側蓋を取外し、前記絞り筐体の中の廃物を取り出し、これにより高効率な漢方薬の圧搾を実現し、装置の作動効率を有効に高める。
【００１３】
手動で作動を行う時、前記回転ハンドルをねじて前記ソールバーを右へ移動させ、前記回転電機の輸出軸が前記通し穴の引掛りから離脱し、この時に前記L型ブロックを取外して前記竜頭を直接に揺れ動かし、これにより装置の効用多様性を高める。
【００１４】
装置を分解して洗浄する時に、前記プレッシャバーを外へ引く同時に、前記滑り込みブロックを前記嵌入ブロックとの掛り合いから離脱させ、前記滑り込みブロックと螺旋軸圧を同時に引き出し、この時に前記側蓋のボルトを緩めて外し、前記側蓋を取外し、前記絞り筐体を洗浄し、同時に前記螺旋軸圧を洗浄し、これにより装置の使用寿命を高める。
【００１５】
本発明装置は構造が簡単で、使用が便利で、本装置は手動と自動の一体式運動方式を採用し、漢方薬に対する高効率な圧搾を実現し、生産効率を有効に高め、人力コストを下げる。
【図面の簡単な説明】
【００１６】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１７】
【図１】図1は本発明の多機能型仮想製造の漢方薬採取装置の構造概略図である。
【図２】図2は図1のA方向の概略図である。
【図３】図3は図1のB方向の概略図である。
【発明を実施するための形態】
【００１８】
本発明書に開示した全ての特徴、或いは開示した全ての方法、過程中のステップは、互いに排斥する特徴或いはステップ以外に、いかなる方式で組み合わせることができる。
【００１９】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００２０】
図1~3が示すように、本発明の多機能型仮想製造の漢方薬採取装置は、底板100を含み、前記底板100の下端面に左右対称のケーシング脚103が固定に設置され、前記ケーシング脚103が地面と突合、前記底板100の上端面に開口ブロック143が固定に設置され、前記開口ブロック143に上向きの開き筐体141が固定に設置され、前記開き筐体141の下端壁に上向きのトーカット144が連通し設置され、前記トーカット144の中に上に伸びるソールバー139がスライドし設置され、前記ソールバー139にねじ山レバー140がねじで係合接続され、前記ねじ山レバー140が前記開き筐体141の左端壁と回転し係合接続され、前記ねじ山レバー140が前記開き筐体141を回転し貫通して右へ外部空間へ伸び出し、前記ねじ山レバー140の右端面に回転ハンドル142が固定に設置され、前記ソールバー139の上端面に支えブロック133が固定に設置され、前記支えブロック133の左端面に回転電機138が固定に設置され、前記底板100の上端面に支えレバー150が左右対称に固定に設置され、前記支えレバー150の上端面に絞り箱125が固定に設置され、前記絞り箱125の中に左向きの絞り筐体118が固定に設置され、前記絞り箱125の下端面に左右対称の底取付ブロック111が固定に設置され、前記底取付ブロック111に回転柱110が回転し設置され、前記回転柱110に上下貫通のねじ山筐体107が固定に設置され、前記ねじ山筐体107の中に雄ねじ山ブロック115がねじで係合接続され、前記雄ねじ山ブロック115が前記絞り筐体118に挿入するかつ前記雄ねじ山ブロック115の上端面に押板112が固定に設置され、前記雄ねじブロック115の下端面に下へ前記ねじ山筐体107から伸びだすスライドレバー106が固定に設置され、前記底板100の上端面に左右対称の受圧ブロック104が固定に設置され、前記受圧ブロック104に上向きのスライド溝105が固定に設置され、前記スライドレバー106が前記スライド溝105とスライドし係合接続され、前記回転柱110の外表面に従動スプロケット109が固定に設置され、前記底板100に電機が固定に設置され、電機の輸出軸の外表面に駆動スプロケット200が固定に設置され、前記駆動スプロケット200が前記従動スプロケット109とリンクベルトによって動力で接続され、前記絞り筐体118の右端壁に引掛り筐体151が連通し設置され、前記引掛り筐体151が外部空間と連通し、前記引掛り筐体151の上下端壁に上下対称のばね筐体126が連通し設置され、前記ばね筐体126の中に嵌入ブロック128がスライドし設置され、前記引掛り筐体151から遠離する前記嵌入ブロック128の端面に外部空間へ伸びだすプレッシャバー127が固定に設置され、前記プレッシャバー127が前記絞り箱125とスライドし係合接続され、前記嵌入ブロック128と前記ばね筐体126の端壁の間にばねが弾力で設置され、前記引掛り筐体151の中に滑り込みブロック137がスライドし設置され、前記嵌入ブロック128が前記滑り込みブロック137に挿入して前記滑り込みブロック137を前記引掛り筐体151に固定し、前記滑り込みブロック137に接続柱135が回転し設置され、前記接続柱135が左へ前記絞り筐体118に挿入するかつ前記接続柱135の左端面に螺旋軸圧117が固定に設置され、前記絞り箱125の右側に竜頭129が設置され、前記竜頭129に左右貫通の接続筐体134が固定に設置され、前記接続柱135が前記接続筐体134に挿入し、前記竜頭129の下端面に前記接続柱135ときつく締められるロッキング螺子釘136がねじで係合接続され、前記竜頭129の外側にL型ブロック131が設置され、前記L型ブロック131が前記竜頭129とスライドし係合接続され、前記L型ブロック131に左右貫通の通し穴132が固定に設置され、前記回転電機138の輸出軸が前記通し穴132に挿入して前記L型ブロック131ときつく引っ掛って固定され、前記開口ブロック143の右端面にアテンション装置が設置される。
【００２１】
有益には、その中に、前記絞り筐体118の上端壁に雄ねじパイプ124が設置され、前記雄ねじパイプ124の中に上下貫通の仕込み筐体120が固定に設置され、前記仕込み筐体120が前記絞り筐体118と連通し、前記仕込み筐体120の上に蓋121が設置され、前記蓋121に下向きの凹ねじ山筐体123が固定に設置され、前記凹ねじ山筐体123が前記雄ねじパイプ124とねじで係合接続され、前記凹ねじ山筐体123の上端壁に接続レバー122が固定に設置され、前記接続レバー122の下端面にカード押え119が固定に設置され、前記カード押え119が前記収納筐体120に挿入して前記収納筐体120とスライドし係合接続される。
【００２２】
有益には、その中に、前記絞り箱125の左側に側蓋114が設置され、前記側蓋114に右向きの凹み筐体116が固定に設置され、前記凹み筐体116の左端壁に雨押え113が固定に設置され、前記雨押え113が前記絞り筐体118に挿入し、前記側蓋114が固定ボルトによって前記絞り箱125の外表面に固定される。
【００２３】
有益には、その中に、前記絞り筐体118の下端壁に接続パイプ101が連通し設置され、前記接続パイプ101の中に切換弁108が連通し設置され、前記接続パイプ101が前記底板100を貫通するかつ前記接続パイプ101の下端面に開口パイプ102が連通し設置される。
【００２４】
有益には、その中に、前記底取付ブロック111と駆動スプロケット200が三角形分布式に放置され、前記駆動スプロケット200が同時に前記底取付ブロック111を回転させ、前記回転柱110を回転させ、前記回転電機138の輸出軸の中心線と前記接続柱135の中心線が同じである。
【００２５】
有益には、その中に、アテンション装置が接続台300を含み、前記接続台300に右向きの収容筐体304が固定に設置され、前記収容筐体304の上下端壁の間に通し軸303が固定に設置され、前記通し軸303の外表面にランプハンドル301が回転し設置され、前記ランプハンドル301の右端面にランプ302が固定に設置される。
【００２６】
本発明装置は初期状態にある時、前記回転電機138が作動停止状態にあり、前記切換弁108が閉じる状態にあり、前記回転電機138の輸出軸が前記通し穴132に挿入する状態にあり、前記ソールバー139が前記トーカット144の左側の限界位置にあり、前記蓋121が前記雄ねじパイプ124にねじ入れる状態にあり、前記側蓋114が前記絞り筐体118を閉鎖し、前記嵌入ブロック128が前記滑り込みブロック137を前記引掛り筐体151に引っ掛ける位置にあり、これにより上記構造が初期状態の時に初期位置にあり、後続の作動中に調整でき、装置の作動強調性を有効に高める。
【００２７】
装置が作動する時に、前記蓋121を捻じ開け、前記カード押え119を前記収納筐体120との掛り合いから離脱させ、この時に前記蓋121を下ろし、前記収納筐体120に薬料を加え、薬料を前記絞り筐体118に満たせ、前記回転電機138が作動し、前記L型ブロック131が回転し、前記竜頭129が前記接続柱135の中心線を巡って回転し、前記接続柱135が回転した後で前記螺旋軸圧117を連れて回転し、前記絞り筐体118の中にある薬料を圧搾し、前記絞り筐体118の中の汁液が前記接続パイプ101に流し込み、前記切換弁108が開き、前記開口パイプ102の下に装い容器が設置され、汁液を容器に入れ、作動する過程で、前記底板100の電機によって前記駆動スプロケット200を回転させ、前記従動スプロケット109が回転した後で前記雄ねじブロック115が前記押板112を連れて上下に移動させ、この時に前記スライドレバー106が前記スライド溝105の中に上下に移動し、前記押板112の上端面と前記螺旋軸圧117の間の空間変化によって、薬料を更に圧搾し、圧搾が終わったら、前記モーター素子を切り、前記側蓋114の中のボルトを捻じ開け、前記側蓋114を取外し、前記絞り筐体118の中の廃物を取り出し、これにより高効率な漢方薬の圧搾を実現し、装置の作動効率を有効に高める。
【００２８】
手動で作動を行う時、前記回転ハンドル142をねじて前記ソールバー139を右へ移動させ、前記回転電機138の輸出軸が前記通し穴132の引掛りから離脱し、この時に前記L型ブロック131を取外して前記竜頭129を直接に揺れ動かし、これにより装置の効用多様性を高める。
【００２９】
装置を分解して洗浄する時に、前記プレッシャバー127を外へ引く同時に、前記滑り込みブロック137を前記嵌入ブロック128との掛り合いから離脱させ、前記滑り込みブロック137と螺旋軸圧117を同時に引き出し、この時に前記側蓋114のボルトを緩めて外し、前記側蓋114を取外し、前記絞り筐体118を洗浄し、同時に前記螺旋軸圧117を洗浄し、これにより装置の使用寿命を高める。
【００３０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019188468.tif 000003
【図２】
2019188468.tif 000004
【図３】
2019188468.tif 000005
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
底板を含み、前記底板の下端面に左右対称のケーシング脚が固定に設置され、前記ケーシング脚が地面と突合、前記底板の上端面に開口ブロックが固定に設置され、前記開口ブロックに上向きの開き筐体が固定に設置され、前記開き筐体の下端壁に上向きのトーカットが連通し設置され、前記トーカットの中に上に伸びるソールバーがスライドし設置され、前記ソールバーにねじ山レバーがねじで係合接続され、前記ねじ山レバーが前記開き筐体の左端壁と回転し係合接続され、前記ねじ山レバーが前記開き筐体を回転し貫通して右へ外部空間へ伸び出し、前記ねじ山レバーの右端面に回転ハンドルが固定に設置され、前記ソールバーの上端面に支えブロックが固定に設置され、前記支えブロックの左端面に回転電機が固定に設置され、前記底板の上端面に支えレバーが左右対称に固定に設置され、前記支えレバーの上端面に絞り箱が固定に設置され、前記絞り箱の中に左向きの絞り筐体が固定に設置され、前記絞り箱の下端面に左右対称の底取付ブロックが固定に設置され、前記底取付ブロックに回転柱が回転し設置され、前記回転柱に上下貫通のねじ山筐体が固定に設置され、前記ねじ山筐体の中に雄ねじ山ブロックがねじで係合接続され、前記雄ねじ山ブロックが前記絞り筐体に挿入するかつ前記雄ねじ山ブロックの上端面に押板が固定に設置され、前記雄ねじブロックの下端面に下へ前記ねじ山筐体から伸びだすスライドレバーが固定に設置され、前記底板の上端面に左右対称の受圧ブロックが固定に設置され、前記受圧ブロックに上向きのスライド溝が固定に設置され、前記スライドレバーが前記スライド溝とスライドし係合接続され、前記回転柱の外表面に従動スプロケットが固定に設置され、前記底板に電機が固定に設置され、電機の輸出軸の外表面に駆動スプロケットが固定に設置され、前記駆動スプロケットが前記従動スプロケットとリンクベルトによって動力で接続され、前記絞り筐体の右端壁に引掛り筐体が連通し設置され、前記引掛り筐体が外部空間と連通し、前記引掛り筐体の上下端壁に上下対称のばね筐体が連通し設置され、前記ばね筐体の中に嵌入ブロックがスライドし設置され、前記引掛り筐体から遠離する前記嵌入ブロックの端面に外部空間へ伸びだすプレッシャバーが固定に設置され、前記プレッシャバーが前記絞り箱とスライドし係合接続され、前記嵌入ブロックと前記ばね筐体の端壁の間にばねが弾力で設置され、前記引掛り筐体の中に滑り込みブロックがスライドし設置され、前記嵌入ブロックが前記滑り込みブロックに挿入して前記滑り込みブロックを前記引掛り筐体に固定し、前記滑り込みブロックに接続柱が回転し設置され、前記接続柱が左へ前記絞り筐体に挿入するかつ前記接続柱の左端面に螺旋軸圧が固定に設置され、前記絞り箱の右側に竜頭が設置され、前記竜頭に左右貫通の接続筐体が固定に設置され、前記接続柱が前記接続筐体に挿入し、前記竜頭の下端面に前記接続柱ときつく締められるロッキング螺子釘がねじで係合接続され、前記竜頭の外側にL型ブロックが設置され、前記L型ブロックが前記竜頭とスライドし係合接続され、前記L型ブロックに左右貫通の通し穴が固定に設置され、前記回転電機の輸出軸が前記通し穴に挿入して前記L型ブロックときつく引っ掛っ��固定され、前記開口ブロックの右端面にアテンション装置が設置され、前記絞り筐体の上端壁に雄ねじパイプが設置され、前記雄ねじパイプの中に上下貫通の仕込み筐体が固定に設置され、前記仕込み筐体が前記絞り筐体と連通し、前記仕込み筐体の上に蓋が設置され、前記蓋に下向きの凹ねじ山筐体が固定に設置され、前記凹ねじ山筐体が前記雄ねじパイプとねじで係合接続され、前記凹ねじ山筐体の上端壁に接続レバーが固定に設置され、前記接続レバーの下端面にカード押えが固定に設置され、前記カード押えが前記仕込み筐体に挿入して前記仕込み筐体とスライドし係合接続され、前記絞り箱の左側に側蓋が設置され、前記側蓋に右向きの凹み筐体が固定に設置され、前記凹み筐体の左端壁に雨押えが固定に設置され、前記雨押えが前記絞り筐体に挿入し、前記側蓋が固定ボルトによって前記絞り箱の外表面に固定され、前記絞り筐体の下端壁に接続パイプが連通し設置され、前記接続パイプの中に切換弁が連通し設置され、前記接続パイプが前記底板を貫通するかつ前記接続パイプの下端面に開口パイプが連通し設置され、前記底取付ブロックと駆動スプロケットが三角形分布式に配置され、前記駆動スプロケットの回転と同時に前記底取付ブロックを回転させ、前記底取付ブロックの回転により前記回転柱を回転させ、前記回転電機の輸出軸の中心線と前記接続柱の中心線が同一直線上にあり、アテンション装置が接続台を含み、前記接続台に右向きの収容筐体が固定に設置され、前記収容筐体の上下端壁の間に通し軸が固定に設置され、前記通し軸の外表面にランプハンドルが回転し設置され、前記ランプハンドルの右端面にランプが固定に設置されることを特徴とする漢方薬採取を行うことができる装置。
【手続補正２】
【補正対象書類名】明細書
【補正対象項目名】全文
【補正方法】変更
【補正の内容】
【発明の詳細な説明】
【技術分野】
【０００１】
本発明は製薬分野に関し、具体的には、漢方薬採取を行うことができる装置に関する。
【背景技術】
【０００２】
漢方薬の調製する過程では薬料を蒸煮して薬品に加工する。この過程では割と多めな歩みが必要で、薬料を研磨して汁を搾る工程で研磨が十分でなくて廃物が取りにくくなる問題があり、本装置はこの問題を有効に解決できる。
【先行技術文献】
【特許文献】
【０００３】
【特許文献１】中国特許出願公開第102512847号明細書
【発明の概要】
【発明が解決しようとする課題】
【０００４】
本発明の目的は漢方薬採取を行うことができる装置を提供し、現有技術の上記問題を解決することにある。
【課題を解決するための手段】
【０００５】
本発明の漢方薬採取を行うことができる装置には、底板を含み、前記底板の下端面に左右対称のケーシング脚が固定に設置され、前記ケーシング脚が地面と突合、前記底板の上端面に開口ブロックが固定に設置され、前記開口ブロックに上向きの開き筐体が固定に設置され、前記開き筐体の下端壁に上向きのトーカットが連通し設置され、前記トーカットの中に上に伸びるソールバーがスライドし設置され、前記ソールバーにねじ山レバーがねじで係合接続され、前記ねじ山レバーが前記開き筐体の左端壁と回転し係合接続され、前記ねじ山レバーが前記開き筐体を回転し貫通して右へ外部空間へ伸び出し、前記ねじ山レバーの右端面に回転ハンドルが固定に設置され、前記ソールバーの上端面に支えブロックが固定に設置され、前記支えブロックの左端面に回転電機が固定に設置され、前記底板の上端面に支えレバーが左右対称に固定に設置され、前記支えレバーの上端面に絞り箱が固定に設置され、前記絞り箱の中に左向きの絞り筐体が固定に設置され、前記絞り箱の下端面に左右対称の底取付ブロックが固定に設置され、前記底取付ブロックに回転柱が回転し設置され、前記回転柱に上下貫通のねじ山筐体が固定に設置され、前記ねじ山筐体の中に雄ねじ山ブロックがねじで係合接続され、前記雄ねじ山ブロックが前記絞り筐体に挿入するかつ前記雄ねじ山ブロックの上端面に押板が固定に設置され、前記雄ねじブロックの下端面に下へ前記ねじ山筐体から伸びだすスライドレバーが固定に設置され、前記底板の上端面に左右対称の受圧ブロックが固定に設置され、前記受圧ブロックに上向きのスライド溝が固定に設置され、前記スライドレバーが前記スライド溝とスライドし係合接続され、前記回転柱の外表面に従動スプロケットが固定に設置され、前記底板に電機が固定に設置され、電機の輸出軸の外表面に駆動スプロケットが固定に設置され、前記駆動スプロケットが前記従動スプロケットとリンクベルトによって動力で接続され、前記絞り筐体の右端壁に引掛り筐体が連通し設置され、前記引掛り筐体が外部空間と連通し、前記引掛り筐体の上下端壁に上下対称のばね筐体が連通し設置され、前記ばね筐体の中に嵌入ブロックがスライドし設置され、前記引掛り筐体から遠離する前記嵌入ブロックの端面に外部空間へ伸びだすプレッシャバーが固定に設置され、前記プレッシャバーが前記絞り箱とスライドし係合接続され、前記嵌入ブロックと前記ばね筐体の端壁の間にばねが弾力で設置され、前記引掛り筐体の中に滑り込みブロックがスライドし設置され、前記嵌入ブロックが前記滑り込みブロックに挿入して前記滑り込みブロックを前記引掛り筐体に固定し、前記滑り込みブロックに接続柱が回転し設置され、前記接続柱が左へ前記絞り筐体に挿入するかつ前記接続柱の左端面に螺旋軸圧が固定に設置され、前記絞り箱の右側に竜頭が設置され、前記竜頭に左右貫通の接続筐体が固定に設置され、前記接続柱が前記接続筐体に挿入し、前記竜頭の下端面に前記接続柱ときつく締められるロッキング螺子釘がねじで係合接続され、前記竜頭の外側にL型ブロックが設置され、前記L型ブロックが前記竜頭とスライドし係合接続され、前記L型ブロックに左右貫通の通し穴が固定に設置され、前記回転電機の輸出軸が前記通し穴に挿入して前記L型ブロックときつく引っ掛って固定され、前記開口ブロックの右端面にアテンション装置が設置される。
【０００６】
更の技術プランとして、前記絞り筐体の上端壁に雄ねじパイプが設置され、前記雄ねじパイプの中に上下貫通の仕込み筐体が固定に設置され、前記仕込み筐体が前記絞り筐体と連通し、前記仕込み筐体の上に蓋が設置され、前記蓋に下向きの凹ねじ山筐体が固定に設置され、前記凹ねじ山筐体が前記雄ねじパイプとねじで係合接続され、前記凹ねじ山筐体の上端壁に接続レバーが固定に設置され、前記接続レバーの下端面にカード押えが固定に設置され、前記カード押えが前記仕込み筐体に挿入して前記仕込み筐体とスライドし係合接続される。
【０００７】
更の技術プランとして、前記絞り箱の左側に側蓋が設置され、前記側蓋に右向きの凹み筐体が固定に設置され、前記凹み筐体の左端壁に雨押えが固定に設置され、前記雨押えが前記絞り筐体に挿入し、前記側蓋が固定ボルトによって前記絞り箱の外表面に固定される。
【０００８】
更の技術プランとして、前記絞り筐体の下端壁に接続パイプが連通し設置され、前記接続パイプの中に切換弁が連通し設置され、前記接続パイプが前記底板を貫通するかつ前記接続パイプの下端面に開口パイプが連通し設置される。
【０００９】
更の技術プランとして、前記底取付ブロックと駆動スプロケットが三角形分布式に配置され、前記駆動スプロケットの回転と同時に前記底取付ブロックを回転させ、前記底取付ブロックの回転により前記回転柱を回転させ、前記回転電機の輸出軸の中心線と前記接続柱の中心線が同一直線上にある。
【００１０】
更の技術プランとして、アテンション装置が接続台を含み、前記接続台に右向きの収容筐体が固定に設置され、前記収容筐体の上下端壁の間に通し軸が固定に設置され、前記通し軸の外表面にランプハンドルが回転し設置され、前記ランプハンドルの右端面にランプが固定に設置される。
【発明の効果】
【００１１】
本発明の有益効果は：本発明装置は初期状態にある時、前記回転電機が作動停止状態にあり、前記切換弁が閉じる状態にあり、前記回転電機の輸出軸が前記通し穴に挿入する状態にあり、前記ソールバーが前記トーカットの左側の限界位置にあり、前記蓋が前記雄ねじパイプにねじ入れる状態にあり、前記側蓋が前記絞り筐体を閉鎖し、前記嵌入ブロックが前記滑り込みブロックを前記引掛り筐体に引っ掛ける位置にあり、これにより上記構造が初期状態の時に初期位置にあり、後続の作動中に調整でき、装置の作動強調性を有効に高める。
【００１２】
装置が作動する時に、前記蓋を捻じ開け、前記カード押えを前記仕込み筐体との掛り合いから離脱させ、この時に前記蓋を下ろし、前記仕込み筐体に薬料を加え、薬料を前記絞り筐体に満たせ、前記回転電機が作動し、前記L型ブロックが回転し、前記竜頭が前記接続柱の中心線を巡って回転し、前記接続柱が回転した後で前記螺旋軸圧を連れて回転し、前記絞り筐体の中にある薬料を圧搾し、前記絞り筐体の中の汁液が前記接続パイプに流し込み、前記切換弁が開き、前記開口パイプの下に装い容器が設置され、汁液を容器に入れ、作動する過程で、前記底板の電機によって前記駆動スプロケットを回転させ、前記従動スプロケットが回転した後で前記雄ねじブロックが前記押板を連れて上下に移動させ、この時に前記スライドレバーが前記スライド溝の中に上下に移動し、前記押板の上端面と前記螺旋軸圧の間の空間変化によって、薬料を更に圧搾し、圧搾が終わったら、前記モーター素子を切り、前記側蓋の中のボルトを捻じ開け、前記側蓋を取外し、前記絞り筐体の中の廃物を取り出し、これにより高効率な漢方薬の圧搾を実現し、装置の作動効率を有効に高める。
【００１３】
手動で作動を行う時、前記回転ハンドルをねじて前記ソールバーを右へ移動させ、前記回転電機の輸出軸が前記通し穴の引掛りから離脱し、この時に前記L型ブロックを取外して前記竜頭を直接に揺れ動かし、これにより装置の効用多様性を高める。
【００１４】
装置を分解して洗浄する時に、前記プレッシャバーを外へ引く同時に、前記滑り込みブロックを前記嵌入ブロックとの掛り合いから離脱させ、前記滑り込みブロックと螺旋軸圧を同時に引き出し、この時に前記側蓋のボルトを緩めて外し、前記側蓋を取外し、前記絞り筐体を洗浄し、同時に前記螺旋軸圧を洗浄し、これにより装置の使用寿命を高める。
【００１５】
本発明装置は構造が簡単で、使用が便利で、本装置は手動と自動の一体式運動方式を採用し、漢方薬に対する高効率な圧搾を実現し、生産効率を有効に高め、人力コストを下げる。
【図面の簡単な説明】
【００１６】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１７】
【図１】図1は本発明の漢方薬採取を行うことができる装置の構造概略図である。
【図２】図2は図1のA方向の概略図である。
【図３】図3は図1のB方向の概略図である。
【発明を実施するための形態】
【００１８】
本発明書に開示した全ての特徴、或いは開示した全ての方法、過程中のステップは、互いに排斥する特徴或いはステップ以外に、いかなる方式で組み合わせることができる。
【００１９】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００２０】
図1~3が示すように、本発明の漢方薬採取を行うことができる装置は、底板100を含み、前記底板100の下端面に左右対称のケーシング脚103が固定に設置され、前記ケーシング脚103が地面と突合、前記底板100の上端面に開口ブロック143が固定に設置され、前記開口ブロック143に上向きの開き筐体141が固定に設置され、前記開き筐体141の下端壁に上向きのトーカット144が連通し設置され、前記トーカット144の中に上に伸びるソールバー139がスライドし設置され、前記ソールバー139にねじ山レバー140がねじで係合接続され、前記ねじ山レバー140が前記開き筐体141の左端壁と回転し係合接続され、前記ねじ山レバー140が前記開き筐体141を回転し貫通して右へ外部空間へ伸び出し、前記ねじ山レバー140の右端面に回転ハンドル142が固定に設置され、前記ソールバー139の上端面に支えブロック133が固定に設置され、前記支えブロック133の左端面に回転電機138が固定に設置され、前記底板100の上端面に支えレバー150が左右対称に固定に設置され、前記支えレバー150の上端面に絞り箱125が固定に設置され、前記絞り箱125の中に左向きの絞り筐体118が固定に設置され、前記絞り箱125の下端面に左右対称の底取付ブロック111が固定に設置され、前記底取付ブロック111に回転柱110が回転し設置され、前記回転柱110に上下貫通のねじ山筐体107が固定に設置され、前記ねじ山筐体107の中に雄ねじ山ブロック115がねじで係合接続され、前記雄ねじ山ブロック115が前記絞り筐体118に挿入するかつ前記雄ねじ山ブロック115の上端面に押板112が固定に設置され、前記雄ねじブロック115の下端面に下へ前記ねじ山筐体107から伸びだすスライドレバー106が固定に設置され、前記底板100の上端面に左右対称の受圧ブロック104が固定に設置され、前記受圧ブロック104に上向きのスライド溝105が固定に設置され、前記スライドレバー106が前記スライド溝105とスライドし係合接続され、前記回転柱110の外表面に従動スプロケット109が固定に設置され、前記底板100に電機が固定に設置され、電機の輸出軸の外表面に駆動スプロケット200が固定に設置され、前記駆動スプロケット200が前記従動スプロケット109とリンクベルトによって動力で接続され、前記絞り筐体118の右端壁に引掛り筐体151が連通し設置され、前記引掛り筐体151が外部空間と連通し、前記引掛り筐体151の上下端壁に上下対称のばね筐体126が連通し設置され、前記ばね筐体126の中に嵌入ブロック128がスライドし設置され、前記引掛り筐体151から遠離する前記嵌入ブロック128の端面に外部空間へ伸びだすプレッシャバー127が固定に設置され、前記プレッシャバー127が前記絞り箱125とスライドし係合接続され、前記嵌入ブロック128と前記ばね筐体126の端壁の間にばねが弾力で設置され、前記引掛り筐体151の中に滑り込みブロック137がスライドし設置され、前記嵌入ブロック128が前記滑り込みブロック137に挿入して前記滑り込みブロック137を前記引掛り筐体151に固定し、前記滑り込みブロック137に接続柱135が回転し設置され、前記接続柱135が左へ前記絞り筐体118に挿入するかつ前記接続柱135の左端面に螺旋軸圧117が固定に設置され、前記絞り箱125の右側に竜頭129が設置され、前記竜頭129に左右貫通の接続筐体134が固定に設置され、前記接続柱135が前記接続筐体134に挿入し、前記竜頭129の下端面に前記接続柱135ときつく締められるロッキング螺子釘136がねじで係合接続され、前記竜頭129の外側にL型ブロック131が設置され、前記L型ブロック131が前記竜頭129とスライドし係合接続され、前記L型ブロック131に左右貫通の通し穴132が固定に設置され、前記回転電機138の輸出軸が前記通し穴132に挿入して前記L型ブロック131ときつく引っ掛って固定され、前記開口ブロック143の右端面にアテンション装置が設置される。
【００２１】
有益には、その中に、前記絞り筐体118の上端壁に雄ねじパイプ124が設置され、前記雄ねじパイプ124の中に上下貫通の仕込み筐体120が固定に設置され、前記仕込み筐体120が前記絞り筐体118と連通し、前記仕込み筐体120の上に蓋121が設置され、前記蓋121に下向きの凹ねじ山筐体123が固定に設置され、前記凹ねじ山筐体123が前記雄ねじパイプ124とねじで係合接続され、前記凹ねじ山筐体123の上端壁に接続レバー122が固定に設置され、前記接続レバー122の下端面にカード押え119が固定に設置され、前記カード押え119が前記仕込み筐体120に挿入して前記仕込み筐体120とスライドし係合接続される。
【００２２】
有益には、その中に、前記絞り箱125の左側に側蓋114が設置され、前記側蓋114に右向きの凹み筐体116が固定に設置され、前記凹み筐体116の左端壁に雨押え113が固定に設置され、前記雨押え113が前記絞り筐体118に挿入し、前記側蓋114が固定ボルトによって前記絞り箱125の外表面に固定される。
【００２３】
有益には、その中に、前記絞り筐体118の下端壁に接続パイプ101が連通し設置され、前記接続パイプ101の中に切換弁108が連通し設置され、前記接続パイプ101が前記底板100を貫通するかつ前記接続パイプ101の下端面に開口パイプ102が連通し設置される。
【００２４】
有益には、その中に、前記底取付ブロック111と駆動スプロケット200が三角形分布式に配置され、前記駆動スプロケット200の回転と同時に前記底取付ブロック111を回転させ、前記底取付ブロック111の回転により前記回転柱110を回転させ、前記回転電機138の輸出軸の中心線と前記接続柱135の中心線が同一直線上にある。
【００２５】
有益には、その中に、アテンション装置が接続台300を含み、前記接続台300に右向きの収容筐体304が固定に設置され、前記収容筐体304の上下端壁の間に通し軸303が固定に設置され、前記通し軸303の外表面にランプハンドル301が回転し設置され、前記ランプハンドル301の右端面にランプ302が固定に設置される。
【００２６】
本発明装置は初期状態にある時、前記回転電機138が作動停止状態にあり、前記切換弁108が閉じる状態にあり、前記回転電機138の輸出軸が前記通し穴132に挿入する状態にあり、前記ソールバー139が前記トーカット144の左側の限界位置にあり、前記蓋121が前記雄ねじパイプ124にねじ入れる状態にあり、前記側蓋114が前記絞り筐体118を閉鎖し、前記嵌入ブロック128が前記滑り込みブロック137を前記引掛り筐体151に引っ掛ける位置にあり、これにより上記構造が初期状態の時に初期位置にあり、後続の作動中に調整でき、装置の作動強調性を有効に高める。
【００２７】
装置が作動する時に、前記蓋121を捻じ開け、前記カード押え119を前記仕込み筐体120との掛り合いから離脱させ、この時に前記蓋121を下ろし、前記仕込み筐体120に薬料を加え、薬料を前記絞り筐体118に満たせ、前記回転電機138が作動し、前記L型ブロック131が回転し、前記竜頭129が前記接続柱135の中心線を巡って回転し、前記接続柱135が回転した後で前記螺旋軸圧117を連れて回転し、前記絞り筐体118の中にある薬料を圧搾し、前記絞り筐体118の中の汁液が前記接続パイプ101に流し込み、前記切換弁108が開き、前記開口パイプ102の下に装い容器が設置され、汁液を容器に入れ、作動する過程で、前記底板100の電機によって前記駆動スプロケット200を回転させ、前記従動スプロケット109が回転した後で前記雄ねじブロック115が前記押板112を連れて上下に移動させ、この時に前記スライドレバー106が前記スライド溝105の中に上下に移動し、前記押板112の上端面と前記螺旋軸圧117の間の空間変化によって、薬料を更に圧搾し、圧搾が終わったら、前記モーター素子を切り、前記側蓋114の中のボルトを捻じ開け、前記側蓋114を取外し、前記絞り筐体118の中の廃物を取り出し、これにより高効率な漢方薬の圧搾を実現し、装置の作動効率を有効に高める。
【００２８】
手動で作動を行う時、前記回転ハンドル142をねじて前記ソールバー139を右へ移動させ、前記回転電機138の輸出軸が前記通し穴132の引掛りから離脱し、この時に前記L型ブロック131を取外して前記竜頭129を直接に揺れ動かし、これにより装置の効用多様性を高める。
【００２９】
装置を分解して洗浄する時に、前記プレッシャバー127を外へ引く同時に、前記滑り込みブロック137を前記嵌入ブロック128との掛り合いから離脱させ、前記滑り込みブロック137と螺旋軸圧117を同時に引き出し、この時に前記側蓋114のボルトを緩めて外し、前記側蓋114を取外し、前記絞り筐体118を洗浄し、同時に前記螺旋軸圧117を洗浄し、これにより装置の使用寿命を高める。
【００３０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。